(57)【要約】【課題】サイフォン排水システムの横引き管の内部を目視可能としたものであり、かかる目視部より機密性が悪い場合に管内を流れる水内に混入するであろうエア粒を確認できる構成としたものである。特にこのエアの混入は負圧の際に生じるものであって、これによって排水システム全体としての気密性が確実に確認できることとなったものである。【解決手段】サイフォン排水システムにおいて、水回り器具と立て管合流継手とを結ぶ横引き管或いは管継手の少なくとも一箇所を透明部材をもって構成し、前記管内の水の流れが目視可能としたことを特徴とするサイフォン力確認方法。３‥横引き管、５‥透明管、６‥管継手、Ａ‥目視部位。【選択図】図２
2006312834.tif 000002
【特許請求の範囲】
【請求項１】
サイフォン排水システムにおいて、水回り器具と立て管合流部とを結ぶ横引き管の少なくとも一箇所を透明部材をもって構成し、前記管内の水の流れが目視可能としたことを特徴とするサイフォン力確認方法。
【請求項２】
管内の水の流れ中のエアを目視する請求項１記載のサイフォン力確認方法。
【請求項３】
透明部材が管継手に採用された請求項１又は２記載のサイフォン力確認方法。
【請求項４】
透明部材が管自体に採用された請求項１又は２記載のサイフォン力確認方法。
【請求項５】
透明部材が横引き管の垂下部に採用された請求項１乃至４いずれか１記載のサイフォン力確認方法。
【請求項６】
透明部材が横引き管の水平部に採用された請求項１乃至４いずれか１記載のサイフォン力確認方法。
【発明の詳細な説明】
【技術分野】
【０００１】
本発明はサイフォン排水システムにおけるサイフォン力の発生を確認するシステムに関するものである。
【背景技術】
【０００２】
従来型の排水システムは横引き管に勾配をつけて施工する。そして、施工後の検査方法としては、排水勾配を確認するためにゴルフボ−ル程度の大きさの軽量のボ−ルを排水管に流して、排水が確実に行われるかの確認を行っている。
【０００３】
気密性の確認を行うための検査実施するためには、圧力をかけない状態での満水試験又は煙を使った検査等があるが、従来の排水システムにはどちらもほとんど実施されていない。
【０００４】
しかしながら、サイフォン排水システム（特許文献１）は、新しい技術であるところから特に検査の方法はなかった。だが、サイフォン排水システムは従来の排水システムより高い気密性が求められている。即ち、サイフォン排水システムにおいて、施工面での不具合としては継手等の接続ミス等による気密性の悪さからくるサイフォン力の低下が挙げられる。
【０００５】
【特許文献１】特開２０００−２９７４４７号公報
【０００６】
従来の排水システムでは問題のなかった程度の気密性悪さでも、負圧の生じるサイフォン排水システムでは、サイフォン力が低下する等の基本的な問題が生じることがある。即ち、従来の排水システムと同等の検査方法では異常が関知されない状態でも、サイフォン排水システムでは問題がある場合が多い。又、従来の検査方法は正圧に関しての検知方法であるが、負圧に関しては検知できず、サイフォン排水システムのように負圧を生じさせて排水させるシステムでは異常を検知することが難しかった。
【０００７】
尚、給水・給湯管の敷設にあっては、水圧試験を実施しているが、これは高い水圧をかけて測定するものである。しかるに、サイフォン排水システムにおける配管にはかかる高圧自体が発生せず、給水管の場合の水圧試験を行うと敷設した排水管系統を破壊してしまうおそれもありかかる試験方法は採用できない。
【発明の開示】
【発明が解決しようとする課題】
【０００８】
本発明は以上のような従来の技術に鑑みてなされたものであり、サイフォン排水システムに特に必要な負圧時における気密性を検知できるシステムを提供することを目的とするものである。
【課題を解決するための手段】
【０００９】
本発明の要旨は、サイフォン排水システムにおいて、水回り器具と立て管合流部とを結ぶ横引き管の少なくとも一箇所を透明部材をもって構成し、前記管内の水の流れが目視可能としたことを特徴とするサイフォン力確認方法を提供するものである。
【発明の効果】
【００１０】
本発明は以上の構成を有するものであり、サイフォン排水システムの横引き管の内部を目視可能としたものであり、かかる目視部より機密性が悪い場合に管内を流れる水内に混入するであろうエア粒を確認できる構成としたものである。特にこのエアの混入は負圧の際に生じるものであって、これによって排水システム全体としての気密性が確実に確認できることとなったものである。
【発明を実施するための最良の形態】
【００１１】
サイフォン排水システムにあって、サイフォン力が低下した際、溜め流し時に満流で流れるはずの横引き管内に系外よりエアが混じる現象が見られ、これがエア粒状となって立て管にまで至ることになる。即ち、満流で流れる際には管内は負圧となっており、もし気密性が悪い箇所があれば、その部位より系外のエアが管内に入り込みエア粒となる。本発明はかかる管内のエア粒を目視にて確認し、気密性が十分か否かを判断をしようとするものである。
【００１２】
配管施工の際にあっては、通水試験を行い管内にエアが混入していないか目視することで異常を確認できるようにするものであり、既に使用に供されている場合には、この確認を継続することによって気密不良が発生したことが分かり、メンテナンスの必要性を検知するものである。
【００１３】
本発明の目視部分の形態としては、管継手或いは管自体に備えるものであって、できるだけ管の最終部位即ち立て管との合流部に近い部位で目視できるようにするのが好ましく、例えば、横引き管の垂下部或いは水平部でも垂下直前の部位に設けることが好ましいものである。
【００１４】
具体例としては、透明部材によって横引き管と同径の管材を形成し、これを横引き管の一部として組み込んでなるもの、横引き管の一部を切り欠き、この部位を透明な樹脂にて封止するもの等が例示できる。
【００１５】
更に、管継手を構成する継手基体やキャップ等を透明部材で構成し、これを目視部位とすることもある。かかる管継手は立て管との合流継手を含むことは言うまでもない。勿論、透明な樹脂管或いは管継手をシステムの複数箇所に組み込むことが可能であり、これによって漏水箇所が速やかに特定できることともなる。
【実施例】
【００１６】
以下、実施例をもって本発明を更に詳細に説明する。図１はその概念図であり、１は水回り器具、２は立て管、３は水回り器具１に接続されたポリブテン製の横引き管であり、これは他の水回り器具からの横引き管と合流することなく、立て管２に直接合流するものである。４はその合流部であり、水回り器具１よりも例えば一階分下にて立て管２に接続したものであり、前記した横引き管３は水平部から垂下し、この合流部４に接続されるものである。この水平部と合流部４との落差Ｈが管内で満流となった水にサイフォン力を発生することになる。
【００１７】
図中、Ａ及びＢ部が本発明で言う管内の目視部位とするのがよく、Ａ部は横引き管３が床面より垂下する直前に目視する部位としたものである。又、Ｂ部は合流部の直前にて目視部位を形成したものである。これによって排水水中にエア粒が混じっているか否かが容易に判明するものである。
【００１８】
図２は、横引き管３の一部として透明管５を接続したものであり、この部位を目視することによってエア粒の確認が可能となったものである。尚、両者の接続手段は任意であるが、いわゆるワンタッチ型の継手６をもって接続するのがよい。
【００１９】
図３は、継手を構成する部材の一部を透明としたものであり、この例では合流部４に接続する際のワンタッチ型継手６の継手基体６ａを透明樹脂７で構成したものである。図中、８は止水用Ｏ−リング、９はコレット、６ｂ１、６ｂ２はキャップである。この例では、合流部４に備えられた立管４ａがキャップ６ｂ２に差し込まれ、一方、横引き管３の先端がキャップ６ｂ１に差し込まれるもので、Ｏ−リング８が横引き管３の外表面に接触して止水機能をなし、一方、コレット９の爪が横引き管３の外表面に食い込んで接続されるものである。
【００２０】
この例では、合流部４の直前にある管継手６をもってエア粒の存在の有無が確認できるものである。勿論、管継手６の構造は特に限定されるものではなく、更に、透明部材を合流部４側の部材として使用し、これにて水中のエア粒の確認ができることは言うまでもない。
【産業上の利用可能性】
【００２１】
サイフォンを利用した排水において、施工完了後の通水試験或いは使用中の状態において、管内のエア粒の確認のための目視部を形成したことによって、気密が不良となった際の検知が容易となったものであり、簡単に確認ができ、メンテナンス上も優れたものとなった。
【図面の簡単な説明】
【００２２】
【図１】図１は本発明のサイフォン力確認方法の概念図である。
【図２】図２は本発明のサイフォン力確認方法を横引き管に適用した図である。
【図３】図３は本発明のサイフォン力確認方法を管継手に適用した図である。
【符号の説明】
【００２３】
１‥水回り器具、
２‥立て管、
３‥横引き管、
４‥合流部、
５‥透明管、
６‥管継手、
Ａ、Ｂ‥目視部位、
Ｈ‥落差。
【図１】
2006312834.tif 000003
【図２】
2006312834.tif 000004
【図３】
2006312834.tif 000005